【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
一連のコンテンツ情報と、
前記コンテンツ情報の再生中に前記コンテンツ情報と一緒に表示させるための前記コンテンツ情報に関するメニュー情報と、
前記コンテンツ情報の再生シーケンスを、前記コンテンツ情報を構成すると共に再生時にアクセス可能なアイテム単位で規定するプレイリスト情報と
が記録されており、
前記プレイリスト情報は、前記コンテンツ情報を構成する各アイテムを指示するアイテム情報と前記メニュー情報をスレーブアイテムとして指示するスレーブアイテム情報とを含み、
前記メニュー情報を前記コンテンツ情報の表示上に表示する際における、前記メニュー情報の表示位置を指示する指示情報を有することを特徴とする請求項１に記載の情報記録媒体。
【請求項２】
前記メニュー情報は、前記コンテンツ情報の表示上に小ウインドウとして表示され、
前記指示情報は、前記小ウインドウの表示位置を指示することを特徴とする請求項１に記載の情報記録媒体。
【請求項３】
一連のコンテンツ情報及び前記コンテンツ情報の再生中に前記コンテンツ情報と一緒に表示させるための前記コンテンツ情報に関するメニュー情報を記録する第１記録手段と、
前記コンテンツ情報の再生シーケンスを、前記コンテンツ情報を構成すると共に再生時にアクセス可能なアイテム単位で規定するプレイリスト情報を記録する第２記録手段と
を備えており、
前記第２記録手段は、前記プレイリスト情報を、前記コンテンツ情報を構成する各アイテムを指示するアイテム情報と前記メニュー情報をスレーブアイテムとして指示するスレーブアイテム情報とを含むように記録し、
前記第２記録手段は、前記メニュー情報を前記コンテンツ情報の表示上に表示する際における、前記メニュー情報の表示位置を指示する指示情報を更に記録することを特徴とする情報記録装置。
【請求項４】
一連のコンテンツ情報及び前記コンテンツ情報の再生中に前記コンテンツ情報と一緒に表示させるための前記コンテンツ情報に関するメニュー情報を記録する第１記録工程と、
前記コンテンツ情報の再生シーケンスを、前記コンテンツ情報を構成すると共に再生時にアクセス可能なアイテム単位で規定するプレイリスト情報を記録する第２記録工程と
を備えており、
前記第２記録工程は、前記プレイリスト情報を、前記コンテンツ情報を構成する各アイテムを指示するアイテム情報と前記メニュー情報をスレーブアイテムとして指示するスレーブアイテム情報とを含むように記録し、
前記第２記録工程は、前記メニュー情報を前記コンテンツ情報の表示上に表示する際における、前記メニュー情報の表示位置を指示する指示情報を更に記録することを特徴とする情報記録方法。
【請求項５】
請求項１又は２に記載の情報記録媒体を再生する情報再生装置であって、
前記コンテンツ情報、前記メニュー情報及び前記プレイリスト情報を再生可能な再生手段と、
前記コンテンツ情報及び前記メニュー情報を表示出力可能である表示出力手段と、
前記再生手段により再生されたプレイリスト情報に含まれる前記アイテム情報及び前記スレーブアイテム情報に従って、前記コンテンツ情報及び前記メニュー情報を再生するように前記再生手段を制御する制御手段と
を備えたことを特徴とする情報再生装置。
【請求項６】
前記制御手段は、前記再生手段によって再生される指示情報により指示される表示位置に従って、前記再生されたメニュー情報を前記再生されたコンテンツ情報上に表示出力するように前記表示出力手段を制御することを特徴とする請求項５に記載の情報再生装置。
【請求項７】
請求項１又は２に記載の情報記録媒体を再生する(i)前記コンテンツ情報、前記メニュー情報及び前記プレイリスト情報を再生可能な再生手段、並びに(ii)前記コンテンツ情報及び前記メニュー情報を表示出力可能である表示出力手段とを備えた情報再生装置における情報再生方法であって、
前記プレイリスト情報を再生するように前記再生手段を制御する第１制御工程と、
前記再生手段により再生されたプレイリスト情報に含まれる前記アイテム情報及び前記スレーブアイテム情報に従って、前記コンテンツ情報及び前記メニュー情報を再生するように前記再生手段を制御する第２制御工程と
を備えたことを特徴とする情報再生方法。
【請求項８】
一連のコンテンツ情報及び前記コンテンツ情報の再生中に前記コンテンツ情報と一緒に表示させるための前記コンテンツ情報に関するメニュー情報を記録する第１記録手段と、
前記コンテンツ情報の再生シーケンスを、前記コンテンツ情報を構成すると共に再生時にアクセス可能なアイテム単位で規定するプレイリスト情報を記録する第２記録手段と
を備えており、
前記第２記録手段は、前記プレイリスト情報を、前記コンテンツ情報を構成する各アイテムを指示するアイテム情報と前記メニュー情報をスレーブアイテムとして指示するスレーブアイテム情報とを含むように記録し、
前記第２記録手段は、前記メニュー情報を前記コンテンツ情報の表示上に表示する際における、前記メニュー情報の表示位置を指示する指示情報を更に記録し、
前記コンテンツ情報、前記メニュー情報及び前記プレイリスト情報を再生可能な再生手段と、
前記コンテンツ情報及び前記メニュー情報を表示出力可能である表示出力手段と、
前記再生手段により再生されたプレイリスト情報に含まれる前記アイテム情報及び前記スレーブアイテム情報に従って、前記コンテンツ情報及び前記メニュー情報を再生するように前記再生手段を制御する制御手段と
を備えたことを特徴とする情報記録再生装置。
【請求項９】
(i)前記コンテンツ情報、前記メニュー情報及び前記プレイリスト情報を再生可能な再生手段、並びに(ii)前記コンテンツ情報及び前記メニュー情報を表示出力可能である表示出力手段とを備えた情報記録再生装置における情報記録再生方法であって、
一連のコンテンツ情報及び前記コンテンツ情報の再生中に前記コンテンツ情報と一緒に表示させるための前記コンテンツ情報に関するメニュー情報を記録する第１記録工程と、
前記コンテンツ情報の再生シーケンスを、前記コンテンツ情報を構成すると共に再生時にアクセス可能なアイテム単位で規定するプレイリスト情報を記録する第２記録工程と
を備えており、
前記第２記録工程は、前記プレイリスト情報を、前記コンテンツ情報を構成する各アイテムを指示するアイテム情報と前記メニュー情報をスレーブアイテムとして指示するスレーブアイテム情報とを含むように記録し、
前記第２記録工程は、前記メニュー情報を前記コンテンツ情報の表示上に表示する際における、前記メニュー情報の表示位置を指示する指示情報を更に記録し、
前記再生手段により再生されたプレイリスト情報に含まれる前記アイテム情報及び前記スレーブアイテム情報に従って、前記コンテンツ情報及び前記メニュー情報を再生するように前記再生手段を制御する第１制御工程と
を備えたことを特徴とする情報記録再生方法。
【請求項１０】
請求項３に記載の情報記録装置に備えられたコンピュータを制御する記録制御用のコンピュータプログラムであって、該コンピュータを、前記第１記録手段及び前記第２記録手段の少なくとも一部として機能させることを特徴とする記録制御用のコンピュータプログラム。
【請求項１１】
請求項５又は６に記載の情報再生装置に備えられたコンピュータを制御する再生制御用のコンピュータプログラムであって、該コンピュータを、前記再生手段、前記表示出力手段及び前記制御手段の少なくとも一部として機能させることを特徴とする再生制御用のコンピュータプログラム。
【請求項１２】
請求項８に記載の情報記録再生装置に備えられたコンピュータを制御する記録再生制御用のコンピュータプログラムであって、該コンピュータを、前記第１記録手段、前記第２記録手段、前記再生手段、前記表示出力手段及び前記制御手段の少なくとも一部として機能させることを特徴とする記録再生制御用のコンピュータプログラム。
【請求項１３】
一連のコンテンツ情報と、
前記コンテンツ情報の再生中に前記コンテンツ情報と一緒に表示させるための前記コンテンツ情報に関するメニュー情報と、
前記コンテンツ情報の再生シーケンスを、前記コンテンツ情報を構成すると共に再生時にアクセス可能なアイテム単位で規定するプレイリスト情報と
を有しており、
前記プレイリスト情報は、前記コンテンツ情報を構成する各アイテムを指示するアイテム情報と前記メニュー情報をスレーブアイテムとして指示するスレーブアイテム情報とを含み、
前記メニュー情報を前記コンテンツ情報の表示上に表示する際における、前記メニュー情報の表示位置を指示する指示情報を有することを特徴とする制御信号を含むデータ構造。
【手続補正２】
【補正対象書類名】明細書
【補正対象項目名】０００７
【補正方法】変更
【補正の内容】
【０００７】
請求項１記載の情報記録媒体は、例えば上記課題を解決するために、一連のコンテンツ情報と、前記コンテンツ情報の再生中に前記コンテンツ情報と一緒に表示させるための前記コンテンツ情報に関するメニュー情報と、前記コンテンツ情報の再生シーケンスを、前記コンテンツ情報を構成すると共に再生時にアクセス可能なアイテム単位で規定するプレイリスト情報とが記録されており、前記プレイリスト情報は、前記コンテンツ情報を構成する各アイテムを指示するアイテム情報と前記メニュー情報をスレーブアイテムとして指示するスレーブアイテム情報とを含み、前記メニュー情報を前記コンテンツ情報の表示上に表示する際における、前記メニュー情報の表示位置を指示する指示情報を有する。
【手続補正３】
【補正対象書類名】明細書
【補正対象項目名】０００８
【補正方法】変更
【補正の内容】
【０００８】
請求項３記載の情報記録装置は、例えば上記課題を解決するために、一連のコンテンツ情報及び前記コンテンツ情報の再生中に前記コンテンツ情報と一緒に表示させるための前記コンテンツ情報に関するメニュー情報を記録する第１記録手段と、前記コンテンツ情報の再生シーケンスを、前記コンテンツ情報を構成すると共に再生時にアクセス可能なアイテム単位で規定するプレイリスト情報を記録する第２記録手段とを備えており、前記第２記録手段は、前記プレイリスト情報を、前記コンテンツ情報を構成する各アイテムを指示するアイテム情報と前記メニュー情報をスレーブアイテムとして指示するスレーブアイテム情報とを含むように記録し、前記第２記録手段は、前記メニュー情報を前記コンテンツ情報の表示上に表示する際における、前記メニュー情報の表示位置を指示する指示情報を更に記録する。
【手続補正４】
【補正対象書類名】明細書
【補正対象項目名】０００９
【補正方法】変更
【補正の内容】
【０００９】
請求項４記載の情報記録方法は、例えば上記課題を解決するために、一連のコンテンツ情報及び前記コンテンツ情報の再生中に前記コンテンツ情報と一緒に表示させるための前記コンテンツ情報に関するメニュー情報を記録する第１記録工程と、前記コンテンツ情報の再生シーケンスを、前記コンテンツ情報を構成すると共に再生時にアクセス可能なアイテム単位で規定するプレイリスト情報を記録する第２記録工程とを備えており、前記第２記録工程は、前記プレイリスト情報を、前記コンテンツ情報を構成する各アイテムを指示するアイテム情報と前記メニュー情報をスレーブアイテムとして指示するスレーブアイテム情報とを含むように記録し、前記第２記録工程は、前記メニュー情報を前記コンテンツ情報の表示上に表示する際における、前記メニュー情報の表示位置を指示する指示情報を更に記録する。
【手続補正５】
【補正対象書類名】明細書
【補正対象項目名】００１０
【補正方法】変更
【補正の内容】
【００１０】
請求項５記載の情報再生装置は、例えば上記課題を解決するために、請求項１又は２に記載の情報記録媒体を再生する情報再生装置であって、前記コンテンツ情報、前記メニュー情報及び前記プレイリスト情報を再生可能な再生手段と、前記コンテンツ情報及び前記メニュー情報を表示出力可能である表示出力手段と、前記再生手段により再生されたプレイリスト情報に含まれる前記アイテム情報及び前記スレーブアイテム情報に従って、前記コンテンツ情報及び前記メニュー情報を再生するように前記再生手段を制御する制御手段とを備える。
【手続補正６】
【補正対象書類名】明細書
【補正対象項目名】００１１
【補正方法】変更
【補正の内容】
【００１１】
請求項７記載の情報再生方法は、例えば上記課題を解決するために、請求項１又は２に記載の情報記録媒体を再生する情報再生装置であって、前記コンテンツ情報、前記メニュー情報及び前記プレイリスト情報を再生可能な再生手段と、前記コンテンツ情報及び前記メニュー情報を表示出力可能である表示出力手段と、前記再生手段により再生されたプレイリスト情報に含まれる前記アイテム情報及び前記スレーブアイテム情報に従って、前記コンテンツ情報及び前記メニュー情報を再生するように前記再生手段を制御する制御手段とを備えたる。
【手続補正７】
【補正対象書類名】明細書
【補正対象項目名】００１２
【補正方法】変更
【補正の内容】
【００１２】
請求項８記載の情報記録再生装置は、例えば上記課題を解決するために、一連のコンテンツ情報及び前記コンテンツ情報の再生中に前記コンテンツ情報と一緒に表示させるための前記コンテンツ情報に関するメニュー情報を記録する第１記録手段と、前記コンテンツ情報の再生シーケンスを、前記コンテンツ情報を構成すると共に再生時にアクセス可能なアイテム単位で規定するプレイリスト情報を記録する第２記録手段とを備えており、前記第２記録手段は、前記プレイリスト情報を、前記コンテンツ情報を構成する各アイテムを指示するアイテム情報と前記メニュー情報をスレーブアイテムとして指示するスレーブアイテム情報とを含むように記録し、前記第２記録手段は、前記メニュー情報を前記コンテンツ情報の表示上に表示する際における、前記メニュー情報の表示位置を指示する指示情報を更に記録し、前記コンテンツ情報、前記メニュー情報及び前記プレイリスト情報を再生可能な再生手段と、前記コンテンツ情報及び前記メニュー情報を表示出力可能である表示出力手段と、前記再生手段により再生されたプレイリスト情報に含まれる前記アイテム情報及び前記スレーブアイテム情報に従って、前記コンテンツ情報及び前記メニュー情報を再生するように前記再生手段を制御する制御手段とを備える。
【手続補正８】
【補正対象書類名】明細書
【補正対象項目名】００１３
【補正方法】変更
【補正の内容】
【００１３】
請求項９記載の情報記録再生方法は、例えば上記課題を解決するために、(i)前記コンテンツ情報、前記メニュー情報及び前記プレイリスト情報を再生可能な再生手段、並びに(ii)前記コンテンツ情報及び前記メニュー情報を表示出力可能である表示出力手段とを備えた情報記録再生装置における情報記録再生方法であって、一連のコンテンツ情報及び前記コンテンツ情報の再生中に前記コンテンツ情報と一緒に表示させるための前記コンテンツ情報に関するメニュー情報を記録する第１記録工程と、前記コンテンツ情報の再生シーケンスを、前記コンテンツ情報を構成すると共に再生時にアクセス可能なアイテム単位で規定するプレイリスト情報を記録する第２記録工程とを備えており、前記第２記録工程は、前記プレイリスト情報を、前記コンテンツ情報を構成する各アイテムを指示するアイテム情報と前記メニュー情報をスレーブアイテムとして指示するスレーブアイテム情報とを含むように記録し、前記第２記録工程は、前記メニュー情報を前記コンテンツ情報の表示上に表示する際における、前記メニュー情報の表示位置を指示する指示情報を更に記録し、前記再生手段により再生されたプレイリスト情報に含まれる前記アイテム情報及び前記スレーブアイテム情報に従って、前記コンテンツ情報及び前記メニュー情報を再生するように前記再生手段を制御する第１制御工程とを備える。
【手続補正９】
【補正対象書類名】明細書
【補正対象項目名】００１４
【補正方法】変更
【補正の内容】
【００１４】
請求項１０記載の記録制御用のコンピュータプログラムは、例えば上記課題を解決する
ために、請求項３に記載の情報記録装置に備えられたコンピュータを制御する記録制御用のコンピュータプログラムであって、該コンピュータを、前記第１記録手段及び前記第２記録手段の少なくとも一部として機能させる。
【手続補正１０】
【補正対象書類名】明細書
【補正対象項目名】００１５
【補正方法】変更
【補正の内容】
【００１５】
請求項１１記載の再生制御用のコンピュータプログラムは、例えば上記課題を解決する
ために、請求項５又は６に記載の情報再生装置に備えられたコンピュータを制御する再生制御用のコンピュータプログラムであって、該コンピュータを、前記再生手段、前記表示出力手段及び前記制御手段の少なくとも一部として機能させる。
【手続補正１１】
【補正対象書類名】明細書
【補正対象項目名】００１６
【補正方法】変更
【補正の内容】
【００１６】
請求項１２記載の記録再生制御用のコンピュータプログラムは、例えば上記課題を解決
するために、請求項８に記載の情報記録再生装置に備えられたコンピュータを制御する記録再生制御用のコンピュータプログラムであって、該コンピュータを、前記第１記録手段、前記第２記録手段、前記再生手段、前記表示出力手段及び前記制御手段の少なくとも一部として機能させる。
【手続補正１２】
【補正対象書類名】明細書
【補正対象項目名】００１７
【補正方法】変更
【補正の内容】
【００１７】
請求項１３記載の制御信号を含むデータ構造は、例えば上記課題を解決するために、一連のコンテンツ情報と、前記コンテンツ情報の再生中に前記コンテンツ情報と一緒に表示させるための前記コンテンツ情報に関するメニュー情報と、前記コンテンツ情報の再生シーケンスを、前記コンテンツ情報を構成すると共に再生時にアクセス可能なアイテム単位で規定するプレイリスト情報とを有しており、前記プレイリスト情報は、前記コンテンツ情報を構成する各アイテムを指示するアイテム情報と前記メニュー情報をスレーブアイテムとして指示するスレーブアイテム情報とを含み、前記メニュー情報を前記コンテンツ情報の表示上に表示する際における、前記メニュー情報の表示位置を指示する指示情報を有する。
【手続補正１３】
【補正対象書類名】明細書
【補正対象項目名】００１９
【補正方法】変更
【補正の内容】
【００１９】
本発明の情報記録媒体の実施形態は、一連のコンテンツ情報と、前記コンテンツ情報の再生中に前記コンテンツ情報と一緒に表示させるための前記コンテンツ情報に関するメニュー情報と、前記コンテンツ情報の再生シーケンスを、前記コンテンツ情報を構成すると共に再生時にアクセス可能なアイテム単位で規定するプレイリスト情報とが記録されており、前記プレイリスト情報は、前記コンテンツ情報を構成する各アイテムを指示するアイテム情報と前記メニュー情報をスレーブアイテムとして指示するスレーブアイテム情報とを含み、前記メニュー情報を前記コンテンツ情報の表示上に表示する際における、前記メニュー情報の表示位置を指示する指示情報を有する。
【手続補正１４】
【補正対象書類名】明細書
【補正対象項目名】００２０
【補正方法】変更
【補正の内容】
【００２０】
本発明の情報記録媒体の実施形態によれば、一連のコンテンツ情報と、このコンテンツ情報に関するメニュー情報とが記録されている。メニュー情報は、コンテンツ情報の再生中に、このコンテンツ情報と一緒に表示させるための情報である。更に、コンテンツ情報の再生シーケンスを、アイテム単位で規定するプレイリスト情報が記録されており、このプレイリスト情報は、アイテム情報とスレーブアイテム情報とを含む。スレーブアイテム情報とは、一の前記アイテム情報に関連づけされる情報のことを意味する。ここで特に、アイテム情報は、コンテンツ情報を構成する各アイテムを指示し、スレーブアイテム情報は、該各アイテムに対応するメニュー情報をスレーブアイテムとして指示する。またメニュー情報をコンテンツ情報の表示上に表示する際における、メニュー情報の表示位置を指示する指示情報が更に記録される。
【手続補正１５】
【補正対象書類名】明細書
【補正対象項目名】００２１
【補正方法】変更
【補正の内容】
【００２１】
従って、当該情報記録媒体を再生する際には、プレイリスト情報が有するアイテム情報に従って、これにより指示されるコンテンツ情報部分を順番に再生することで、映像情報や音声情報等のコンテンツ情報を再生することが可能となる。このコンテンツ情報の再生と並行して、プレイリスト情報が有するスレーブアイテム情報に従って、これにより指示されるメニュー情報部分を順番に再生することで、メニュー情報を再生することが可能となる。このようなコンテンツ情報の再生とメニュー情報の再生とを並行に行うことは、例えば、情報再生装置における再生レートを適度に低下させれば技術的には殆ど問題なく実行できる。
また、指示情報によって指示されているメニュー情報の表示位置に従って、情報再生装置は、メニュー情報をコンテンツ情報の表示上に表示することが可能となる。即ち、指示情報に記述するメニュー情報の表示位置を調整或いは変更することで、所望の表示位置に、メニュー画面を表示できる。
【手続補正１６】
【補正対象書類名】明細書
【補正対象項目名】００２３
【補正方法】変更
【補正の内容】
【００２３】
以上の結果、例えばタイトル再生中に、タイトル再生を継続したままで小ウインドウ表示や半透明のスーパーインポーズ表示などのメニュー画面の表示を行うことが可能となる。
本発明の情報記録媒体の実施形態の一態様では、前記メニュー情報は、前記コンテンツ情報の表示上に小ウインドウとして表示され、前記指示情報は、前記小ウインドウの表示位置を指示する。
この形態によれば、指示情報によって指示されている小ウインドウの表示位置に従って、情報再生装置は、メニュー情報をコンテンツ情報の表示上に小ウインドウとして表示することが可能となる。即ち、指示情報に記述する小ウインドウの表示位置を調整或いは変更することで、所望の表示位置の小ウインドウ内に、メニュー画面を表示できる。
【手続補正１７】
【補正対象書類名】明細書
【補正対象項目名】００３９
【補正方法】変更
【補正の内容】
【００３９】
本発明の情報記録装置の実施形態は、一連のコンテンツ情報及び前記コンテンツ情報の再生中に前記コンテンツ情報と一緒に表示させるための前記コンテンツ情報に関するメニュー情報を記録する第１記録手段と、前記コンテンツ情報の再生シーケンスを、前記コンテンツ情報を構成すると共に再生時にアクセス可能なアイテム単位で規定するプレイリスト情報を記録する第２記録手段とを備えており、前記第２記録手段は、前記プレイリスト情報を、前記コンテンツ情報を構成する各アイテムを指示するアイテム情報と前記メニュー情報をスレーブアイテムとして指示するスレーブアイテム情報とを含むように記録し、前記第２記録手段は、前記メニュー情報を前記コンテンツ情報の表示上に表示する際における、前記メニュー情報の表示位置を指示する指示情報を更に記録する。
【手続補正１８】
【補正対象書類名】明細書
【補正対象項目名】００４０
【補正方法】変更
【補正の内容】
【００４０】
本発明の情報記録装置の実施形態によれば、例えばコントローラ、エンコーダ、後述のＴＳオブジェクト生成器、光ピックアップ又はカッティングデバイス等からなる第１記録手段は、例えばＤＶＤ等からなる情報記録媒体の記録領域に、一連のコンテンツ情報及びこれに関するメニュー情報を記録する。例えばコントローラ、エンコーダ、後述のＴＳオブジェクト生成器、光ピックアップ又はカッティングデバイス等からなる第２記録手段は、コンテンツ情報の再生シーケンスを、アイテム単位で規定するプレイリスト情報を記録する。ここで特に、第２記録手段は、プレイリスト情報を、アイテム情報と、スレーブアイテム情報とを含むように記録する。また、第２記録手段は、指示情報を更に記録する。
【手続補正１９】
【補正対象書類名】明細書
【補正対象項目名】００４３
【補正方法】変更
【補正の内容】
【００４３】
本発明の情報記録方法の実施形態は、一連のコンテンツ情報及び前記コンテンツ情報の再生中に前記コンテンツ情報と一緒に表示させるための前記コンテンツ情報に関するメニュー情報を記録する第１記録工程と、前記コンテンツ情報の再生シーケンスを、前記コンテンツ情報を構成すると共に再生時にアクセス可能なアイテム単位で規定するプレイリスト情報を記録する第２記録工程とを備えており、前記第２記録工程は、前記プレイリスト情報を、前記コンテンツ情報を構成する各アイテムを指示するアイテム情報と前記メニュー情報をスレーブアイテムとして指示するスレーブアイテム情報とを含むように記録し、前記第２記録工程は、前記メニュー情報を前記コンテンツ情報の表示上に表示する際における、前記メニュー情報の表示位置を指示する指示情報を更に記録する。
【手続補正２０】
【補正対象書類名】明細書
【補正対象項目名】００４４
【補正方法】変更
【補正の内容】
【００４４】
本発明の情報記録方法の実施形態によれば、例えばコントローラ、エンコーダ、後述のＴＳオブジェクト生成器、光ピックアップ又はカッティングデバイス等を用いて、例えばＤＶＤ等からなる情報記録媒体の記録領域に、第１記録工程は、一連のコンテンツ情報及びこれに関するメニュー情報を記録し、第２記録工程は、コンテンツ情報の再生シーケンスを、アイテム単位で規定するプレイリスト情報を記録する。ここで特に、第２記録工程は、プレイリスト情報を、アイテム情報と、スレーブアイテム情報とを含むように記録する。また、第２記録工程は、指示情報を更に記録する。
【手続補正２１】
【補正対象書類名】明細書
【補正対象項目名】００４７
【補正方法】変更
【補正の内容】
【００４７】
本発明の情報再生装置の実施形態は、上述した本発明の情報記録媒体の実施形態（但し、その各種態様を含む）を再生する情報再生装置であって、前記コンテンツ情報、前記メニュー情報及び前記プレイリスト情報を再生可能な再生手段と、前記コンテンツ情報及び前記メニュー情報を表示出力可能である表示出力手段と、前記再生手段により再生されたプレイリスト情報に含まれる前記アイテム情報及び前記スレーブアイテム情報に従って、前記コンテンツ情報及び前記メニュー情報を再生するように前記再生手段を制御する制御手段とを備える。
【手続補正２２】
【補正対象書類名】明細書
【補正対象項目名】００４８
【補正方法】変更
【補正の内容】
【００４８】
本発明の情報再生装置の実施形態によれば、例えばコントローラ、デコーダ、デマルチプレクサ、光ピックアップ等からなる再生手段は、プレイリスト情報を再生する。すると、例えばコントローラ等の制御手段による制御下で、再生手段は、この再生されたプレイリスト情報に含まれるアイテム情報及びスレーブアイテム情報に従って、コンテンツ情報及びメニュー情報を再生する。ここでは例えば、再生されたコンテンツ情報は、メインパスとして再生され、他方で、再生されたメニュー情報は、例えばサブパスとして再生される。このような再生に伴って、表示出力手段は、コンテンツ情報を表示出力する。
【手続補正２３】
【補正対象書類名】明細書
【補正対象項目名】００５０
【補正方法】変更
【補正の内容】
【００５０】
尚、上述した本発明の情報記録媒体の実施形態における各種態様に対応して、本発明の情報再生装置の実施形態も各種態様を採ることが可能である。
本発明の情報再生装置の一態様では、前記制御手段は、前記再生手段によって再生される指示情報により指示される表示位置に従って、前記再生されたメニュー情報を前記再生されたコンテンツ情報上に表示出力するように前記表示出力手段を制御する。
この態様によれば、制御手段による制御下で、表示出力手段は、指示情報により指示される表示位置で、コンテンツ情報上にメニュー情報を適宜表示出力する。
【手続補正２４】
【補正対象書類名】明細書
【補正対象項目名】００５５
【補正方法】変更
【補正の内容】
【００５５】
本発明の情報再生方法の実施形態は、上述した本発明の情報記録媒体の実施形態（但し、その各種態様を含む）を再生する(i)前記コンテンツ情報、前記メニュー情報及び前記プレイリスト情報を再生可能な再生手段、並びに(ii)前記コンテンツ情報及び前記メニュー情報を表示出力可能である表示出力手段とを備えた情報再生装置における情報再生方法であって、前記プレイリスト情報を再生するように前記再生手段を制御する第１制御工程と、前記再生手段により再生されたプレイリスト情報に含まれる前記アイテム情報及び前記スレーブアイテム情報に従って、前記コンテンツ情報及び前記メニュー情報を再生するように前記再生手段を制御する第２制御工程とを備える。
【手続補正２５】
【補正対象書類名】明細書
【補正対象項目名】００５６
【補正方法】変更
【補正の内容】
【００５６】
本発明の情報再生方法の実施形態によれば、例えばコントローラ等を用いて第１制御工程は、プレイリスト情報を再生するように再生手段を制御する。更に、第２制御工程は、第１制御工程において再生されたプレイリスト情報に含まれるアイテム情報及びスレーブアイテム情報に従って、コンテンツ情報及びメニュー情報を再生するように再生手段を制御する。
【手続補正２６】
【補正対象書類名】明細書
【補正対象項目名】００５９
【補正方法】変更
【補正の内容】
【００５９】
本発明の情報記録再生装置の実施形態は、一連のコンテンツ情報及び前記コンテンツ情報の再生中に前記コンテンツ情報と一緒に表示させるための前記コンテンツ情報に関するメニュー情報を記録する第１記録手段と、前記コンテンツ情報の再生シーケンスを、前記コンテンツ情報を構成すると共に再生時にアクセス可能なアイテム単位で規定するプレイリスト情報を記録する第２記録手段とを備えており、前記第２記録手段は、前記プレイリスト情報を、前記コンテンツ情報を構成する各アイテムを指示するアイテム情報と前記メニュー情報をスレーブアイテムとして指示するスレーブアイテム情報とを含むように記録し、前記第２記録手段は、前記メニュー情報を前記コンテンツ情報の表示上に表示する際における、前記メニュー情報の表示位置を指示する指示情報を更に記録し、前記コンテンツ情報、前記メニュー情報及び前記プレイリスト情報を再生可能な再生手段と、前記コンテンツ情報及び前記メニュー情報を表示出力可能である表示出力手段と、前記再生手段により再生されたプレイリスト情報に含まれる前記アイテム情報及び前記スレーブアイテム情報に従って、前記コンテンツ情報及び前記メニュー情報を再生するように前記再生手段を制御する制御手段とを備える。
【手続補正２７】
【補正対象書類名】明細書
【補正対象項目名】００６２
【補正方法】変更
【補正の内容】
【００６２】
本発明の情報記録再生方法の実施形態は、(i)前記コンテンツ情報、前記メニュー情報及び前記プレイリスト情報を再生可能な再生手段、並びに(ii)前記コンテンツ情報及び前記メニュー情報を表示出力可能である表示出力手段とを備えた情報記録再生装置における情報記録再生方法であって、一連のコンテンツ情報及び前記コンテンツ情報の再生中に前記コンテンツ情報と一緒に表示させるための前記コンテンツ情報に関するメニュー情報を記録する第１記録工程と、前記コンテンツ情報の再生シーケンスを、前記コンテンツ情報を構成すると共に再生時にアクセス可能なアイテム単位で規定するプレイリスト情報を記録する第２記録工程とを備えており、前記第２記録工程は、前記プレイリスト情報を、前記コンテンツ情報を構成する各アイテムを指示するアイテム情報と前記メニュー情報をスレーブアイテムとして指示するスレーブアイテム情報とを含むように記録し、前記第２記録工程は、前記メニュー情報を前記コンテンツ情報の表示上に表示する際における、前記メニュー情報の表示位置を指示する指示情報を更に記録し、前記再生手段により再生されたプレイリスト情報に含まれる前記アイテム情報及び前記スレーブアイテム情報に従って、前記コンテンツ情報及び前記メニュー情報を再生するように前記再生手段を制御する第１制御工程とを備える。
【手続補正２８】
【補正対象書類名】明細書
【補正対象項目名】００６８
【補正方法】変更
【補正の内容】
【００６８】
本発明の再生制御用のコンピュータプログラムの実施形態は、上述した本発明の情報再生装置の実施形態（但し、その各種態様を含む）に備えられたコンピュータを制御する再生制御用のコンピュータプログラムであって、該コンピュータを、前記再生手段、前記表示出力手段及び前記制御手段の少なくとも一部として機能させる。
【手続補正２９】
【補正対象書類名】明細書
【補正対象項目名】００７１
【補正方法】変更
【補正の内容】
【００７１】
本発明の再生制御用のコンピュータプログラムの実施形態は、上述した本発明の情報記録再生装置の実施形態（但し、その各種態様を含む）に備えられたコンピュータを制御する記録再生制御用のコンピュータプログラムであって、該コンピュータを、前記第１記録手段、前記第２記録手段、前記再生手段、前記表示出力手段及び前記制御手段の少なくとも一部として機能させる。
【手続補正３０】
【補正対象書類名】明細書
【補正対象項目名】００７４
【補正方法】変更
【補正の内容】
【００７４】
本発明の制御信号を含むデータ構造の実施形態は、一連のコンテンツ情報と、前記コンテンツ情報の再生中に前記コンテンツ情報と一緒に表示させるための前記コンテンツ情報に関するメニュー情報と、前記コンテンツ情報の再生シーケンスを、前記コンテンツ情報を構成すると共に再生時にアクセス可能なアイテム単位で規定するプレイリスト情報とを有しており、前記プレイリスト情報は、前記コンテンツ情報を構成する各アイテムを指示するアイテム情報と前記メニュー情報をスレーブアイテムとして指示するスレーブアイテム情報とを含み、前記メニュー情報を前記コンテンツ情報の表示上に表示する際における、前記メニュー情報の表示位置を指示する指示情報を有する。